(57)【要約】      （修正有）【課題】媒体の枚数を確認することが容易に行えるよう、排出される媒体がずらされて集積される。【解決手段】媒体を収納する収納部と、前記収納部から搬送される媒体を集積する集積部と、を備えた媒体集積装置において、前記集積部は、前記集積部内に媒体を排出する媒体排出口３２２と、前記媒体排出口を有する壁面に、紙幣の集積方向に対して斜面を有する突出部３２４を有することを特徴とする媒体集積装置。【選択図】図６
2017100836.tif 000002
【特許請求の範囲】
【請求項１】
媒体を収納する収納部と、前記収納部から搬送される媒体を集積する集積部と、を備えた媒体集積装置において、
前記集積部は、
前記集積部内に媒体を排出する媒体排出口と、
前記媒体排出口を有する壁面に、紙幣の集積方向に対して斜面を有する突出部を有することを特徴とする媒体集積装置。
【請求項２】
前記集積部は前記媒体が投入されることが可能であり、前記媒体が投入されるときに、前記突出部は前記壁面内に収納されることを特徴とする、請求項１に記載の媒体集積装置。
【請求項３】
前記集積部はさらに媒体が載置されるステージを備え、
前記ステージは昇降可能に設置されることを特徴とする、請求項２に記載の媒体集積装置。
【請求項４】
前記ステージは前記突出部が突出する前に、前記突出部と当接する位置に移動することを特徴とする、請求項３に記載の媒体集積装置。
【請求項５】
前記突出部は前記媒体排出口の幅よりも大きいことを特徴とする、請求項１から４のいずれか１項に記載の媒体集積装置。
【請求項６】
前記突出部は、前記斜面に凹凸形状を有することを特徴とする、請求項１から５のいずれか１項に記載の媒体集積装置。
【請求項７】
前記突出部の前記斜面の摩擦係数は、前記集積部の底面または前記ステージの表面の摩擦係数よりも大きいことを特徴とする、請求項１から５のいずれか１項に記載の媒体集積装置。
【請求項８】
前記集積部の底面は、前記集積部の出口側よりも前記媒体排出口を有する壁面側が低くなるように設置され、
前記ステージは、前記媒体排出口を有する壁面に一端が接し、他端が前記集積部の出口側に伸びるように設置され、前記集積部の出口側の端部よりも前記媒体排出口を有する壁面側の端部が低くなるように設置されていることを特徴とする、請求項１から７のいずれか１項に記載の媒体集積装置。
【発明の詳細な説明】
【技術分野】
【０００１】
本発明は、媒体集積装置に関する。
【背景技術】
【０００２】
スーパーマーケットやコンビニエンスストアでは、硬貨および紙幣の入出金を行う硬貨／紙幣入出金装置がＰＯＳレジスタなどに接続されて使用されている。また駅では、乗車券を発券する発券機などが使用されている。
【０００３】
上述した紙幣入出金装置が特許文献１に開示されている。特許文献１に開示されている紙幣入出金装置は、紙幣を入出金する入出金口を備えており、当該入出金口において紙幣の投入／出金が行われる。
【先行技術文献】
【特許文献】
【０００４】
【特許文献１】特開２０１３−１０９４４９号公報
【発明の概要】
【発明が解決しようとする課題】
【０００５】
しかしながら、特許文献１に開示されている紙幣入出金装置において紙幣が出金されると、紙幣が揃った状態で紙幣が出金されてしまう。このように紙幣が揃った状態で紙幣が出金されると、使用者が入出金口から紙幣を取り出して枚数を確認する際に、使用者の指が掛かりやすいように、使用者は各紙幣が他の紙幣に対してずれるように紙幣をずらしていた。このとき、特に紙幣が新札である場合は紙幣同士が吸着し合い、使用者が紙幣の枚数を確認しやすいように紙幣をずらすことが困難であった。
【０００６】
そこで、本発明は、上記問題に鑑みてなされたものであり、本発明の目的とするところは、使用者が紙幣や乗車券のような媒体の枚数を容易に確認できる、新規かつ改良された媒体集積装置を提供することにある。
【課題を解決するための手段】
【０００７】
上記課題を解決するために、本発明のある観点によれば、媒体を収納する収納部と、前記収納部から搬送される媒体を集積する集積部と、を備えた媒体集積装置において、前記集積部は、前記集積部内に媒体を排出する媒体排出口と、前記媒体排出口側の壁面に、紙幣の集積方向に対して斜面を有する突出部を有することを特徴とする媒体集積装置が提供される。
【０００８】
また、上記課題を解決するために、本発明の別の観点によれば、前記集積部は前記媒体が投入されることが可能であり、前記媒体が投入されるときに、前記突出部は前記壁面内に収納される。
【０００９】
また、上記課題を解決するために、本発明の別の観点によれば、前記集積部はさらに媒体が載置されるステージを備え、前記ステージは昇降可能に設置される。
【００１０】
また、上記課題を解決するために、本発明の別の観点によれば、前記ステージは前記突出部が突出する前に、前記突出部と当接する位置に移動する。
【００１１】
また、上記課題を解決するために、本発明の別の観点によれば、前記突出部は前記媒体排出口の幅よりも大きい。
【００１２】
また、上記課題を解決するために、本発明の別の観点によれば、前記突出部は、前記斜面に凹凸形状を有する。
【００１３】
また、上記課題を解決するために、本発明の別の観点によれば、前記突出部の前記斜面の摩擦係数は、前記集積部の底面または前記ステージの表面の摩擦係数よりも大きい。
【００１４】
また、前記集積部の底面は、前記集積部の出口側よりも前記媒体排出口を有する壁面側が低くなるように設置され、前記ステージは、前記媒体排出口を有する壁面に一端が接し、他端が前記集積部の出口側に伸びるように設置され、前記集積部の出口側の端部よりも前記媒体排出口を有する壁面側の端部が低くなるように設置されている。
【発明の効果】
【００１５】
以上説明したように本発明によれば、使用者が紙幣や乗車券のような媒体の枚数を容易に確認できる。
【図面の簡単な説明】
【００１６】
【図１】図１は、本発明に係る実施形態の入出金装置を概略的に示す図である。
【図２】図２は、図１に示した入出金装置の構成の一例を示すブロック図である。
【図３】図３は、図１に示した入出金装置の内部構造の一例を示す概略図である。
【図４】図４は、本発明に係る実施形態の入出金装置の動作の一例を示すフロー図である。
【図５】図５は、本発明に係る実施形態の入出金装置の動作の一例を示すフロー図である。
【図６】図６は、本発明の第１の実施形態に関する、入出金装置の紙幣出金部の一例を示す概略図である。
【図７】図７は、図６で示した紙幣出金部において、紙幣が集積される過程を示す概略図である。
【図８】図８は、図６で示した紙幣出金部において、紙幣が集積された状態を示す概略図である。
【図９】図９は、図６で示した紙幣出金部において、紙幣が集積された状態を示す概略図である。
【図１０】図１０は、本発明に係る実施形態の入出金装置の紙幣出金部の他の例を示す概略図である。
【図１１】図１１は、本発明の第２の実施形態に関する、入出金装置の紙幣出金部の一例を示す概略図である。
【図１２】図１２は、本発明の第２の実施形態に関する、入出金装置の紙幣出金部において、突出部が突出する動作の一例を示す概略図である。
【図１３】図１３は、第２の実施形態の入出金装置の動作の一例を示すフロー図である。
【図１４】図１４は、第２の実施形態の入出金装置の動作の一例を示すフロー図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
＜＜１．第１の実施形態＞＞
＜１−１．入出金装置の構成＞
図１は本発明の実施形態による入出金装置１００の構成を示す図である。図１の入出金装置１００は、操作表示部２００と、紙幣出金部３０２と、紙幣入金部３０４と、紙幣リジェクト／回収庫３１２と、硬貨入金部４０２と、硬貨出金部４０４と、硬貨リジェクト部４１２と、を備える。なお、入出金装置１００は特許請求の範囲で記載される、媒体集積装置の一例であり、紙幣出金部３０２は集積部の一例である。
【００１９】
本実施形態の入出金装置１００においては、使用者が操作表示部２００を操作することによって入金動作および／または出金動作、または入出金装置１００の状態確認（例えばエラー表示）などが行われる。紙幣入金部３０４および硬貨入金部４０２は、使用者が紙幣または硬貨を入金するために使用される。紙幣出金部３０２および硬貨出金部４０４は、紙幣または硬貨を出金するために使用される。紙幣リジェクト／回収庫３１２は内部で紙幣リジェクト庫と紙幣回収庫に分かれており、紙幣リジェクト庫は入出金時に正常な紙幣と判別されなかった紙幣を格納するために、紙幣回収庫は収納庫の紙幣を回収する際に紙幣を格納するために使用される。硬貨リジェクト部４１２は、入金時に正常な硬貨と判別されなかった硬貨が排出されるために使用される。
【００２０】
図２は、入出金装置１００の構成を示すブロック図である。入出金装置１００はさらに、紙幣部３００に紙幣搬送部３０６と、紙幣認識部３０８と、紙幣収納庫３１０と、を備える。また入出金装置１００は、硬貨部４００に硬貨搬送部４０６と、硬貨認識部４０８と、硬貨収納庫４１０と、を備える。入出金装置１００はまた、制御部５００と、記憶部６００と、を備える。なお、紙幣収納庫３１０は特許請求の範囲で記載される、収納部の一例である。
【００２１】
紙幣搬送部３０６は、紙幣出金部３０２、紙幣入金部３０４、紙幣収納庫３１０および紙幣リジェクト／回収庫３１２の間で紙幣を搬送する。硬貨搬送部４０６は、硬貨出金部４０４、硬貨入金部４０２、硬貨収納庫４１０および硬貨リジェクト部４１２の間で硬貨を搬送する。
【００２２】
紙幣認識部３０８および硬貨認識部４０８は、それぞれ紙幣搬送部３０６および硬貨搬送部４０６中に設置され、紙幣および硬貨が正常な紙幣および硬貨であることを判別する。紙幣収納庫３１０および硬貨収納庫４１０は、紙幣および硬貨を収納しておくために使用される。また制御部５００は入出金装置１００の各部を制御するために使用され、記憶部６００は入出金装置１００を制御するために必要な情報（例えば設定情報など）を記憶している。
【００２３】
図３は、入出金装置１００の内部構成を示す図である。なお本発明は入出金装置１００の紙幣の出金動作に主に関するので、図３は紙幣部３００に関する内部構成のみを示す。上述した紙幣出金部３０２および紙幣入金部３０４にはそれぞれ、シャッタ３１４と、搬送ローラ３１８と、が設けられている。さらに紙幣入金部３０４には分離ローラ３１６が、紙幣出金部３０２には、舌片ローラ３２０と突出部３２４が設けられている。なお、突出部３２４については後に詳細に説明される。
【００２４】
また紙幣出金部３０２および紙幣入金部３０４は、使用者が紙幣を取り出しやすいようにまたは投入しやすいように、出口が上向きになるように設置されている。
【００２５】
また、紙幣搬送部３０６には、紙幣を搬送する搬送ベルト３０６ａと、紙幣の搬送方向を切り替えるためのブレード３０６ｂ、３０６ｃ、３０６ｄ、３０６ｅと、が設けられている。紙幣収納庫３１０は、紙幣の種類に応じて複数の収納庫Ａ３１０ａ、収納庫Ｂ３１０ｂ、収納庫Ｃ３１０ｃが設けられている。例えば、収納庫Ａ３１０ａには千円札が収納され、収納庫Ｂ３１０ｂには５千円札が収納され、収納庫Ｃ３１０ｃには１万円札が収納される。なお、本実施形態は入出金装置１００について説明されるが、発券機においては、収納庫は取り扱われる券の種類の数に応じて設けられてもよい。
【００２６】
＜１−２．入出金装置の出金動作＞
ここまでは入出金装置１００の構成に関して説明した。本発明は入出金装置１００における、紙幣の出金動作に関するので、次に図４および図５において、入出金装置１００の紙幣の出金動作の一例が示される。ここでは８千円（５千円札１枚と千円札３枚）が出金されるときの出金動作が説明される。Ｓ１００において、使用者が操作表示部２００を操作することによって、または入出金装置１００に接続されるＰＯＳレジスタから出金コマンドを受け取ることによって、入出金装置１００の制御部５００は出金動作を開始する。
【００２７】
Ｓ１００において出金動作が開始されると、Ｓ１０２において制御部５００はシャッタ３１４が開いているか否かを判定する。ここでシャッタ３１４が開いていれば、Ｓ１０４において制御部５００はシャッタ３１４を閉じる。Ｓ１０６において制御部５００は、出金する金額を確認し、出金する紙幣の種類、枚数を指定する。ここでは、８千円を出金する出金コマンドに対して、５千円札を１枚、千円札を３枚出金するものとして、制御部５００は判断を行う。
【００２８】
Ｓ１０８において、制御部５００は図示しない搬送モータを駆動して搬送ベルト３０６ａを動かし、またＳ１１０において、ブレード３０６ｂを収納庫Ｂ３１０ｂ側に駆動する。そしてＳ１１２において、収納庫Ｂ３１０ｂから５千円札が出金される。収納庫Ｂ３１０ｂから出金された５千円札は、搬送ベルト３０６ａの搬送力によって、紙幣認識部３０８に搬送される。ここでＳ１１４において、紙幣認識部３０８は搬送されてきた５千円札が正常な５千円札であるか否かを判定する。
【００２９】
５千円札が正常な紙幣でないと紙幣認識部３０８が判定した場合（例えば紙幣が搬送時に傾いて走行し、正常な紙幣と認識できなかった場合など）、Ｓ１１６において、制御部５００はブレード３０６ｄを紙幣リジェクト／回収庫３１２側に切り替え、さらにブレード３０６ｅをリジェクト庫側に切り替える。Ｓ１１８において、正常な紙幣ではないと判定された５千円札は、リジェクト庫３１２に収納される。そしてＳ１２０において、制御部５００はブレード３０６ｄを紙幣出金部３０２側に切り替える。
【００３０】
Ｓ１２２において、制御部５００は指定枚数の紙幣を出金したか否かを判定する。ここでは５千円札は１枚出金されるので、制御部５００はＳ１２２において５千円札が１枚出金されたか否かを判定する。なお、ここで判定される紙幣の枚数は、正常な紙幣が出金された枚数を意味する。つまり、Ｓ１１４において紙幣認識部３０８が正常な紙幣であると判定した紙幣の枚数が判定される。よってＳ１１４において正常な紙幣ではないと判断された紙幣は、Ｓ１２２においてカウントされず、処理動作はＳ１１２に戻る。
【００３１】
Ｓ１１４において、５千円札が正常な紙幣であると判定された場合、Ｓ１２２において制御部５００は正常な５千円札が１枚紙幣出金部３０２に出金されたことを認識する。これによって５千円札が指定枚数である「１枚」出金されたこととなるので、５千円札を出金する処理動作は終了し、処理動作はＳ１２４に移る。
【００３２】
Ｓ１２４からは、千円札を出金する出金動作が開始される。Ｓ１２４において、制御部５００はブレード３０６ｂを収納庫Ａ３１０ａ側に切り替える。Ｓ１２６において収納庫Ａ３１０ａから千円札が搬送される。次にＳ１２８において、搬送された千円札が正常であるか否かを紙幣認識部３０８が判定する。千円札が正常な紙幣ではない場合、Ｓ１３０およびＳ１３２において、千円札はリジェクト庫３１２に収納される。
【００３３】
Ｓ１２８において搬送された千円札が正常であると判定された場合、Ｓ１３６において制御部５００は正常な千円札が１枚紙幣出金部３０２に出金されたことを認識する。本例では、千円札は３枚出金されなければならないので、Ｓ１３６において制御部５００は、千円札が指定枚数（３枚）出金されていないと判定し、処理はＳ１２６に戻る。Ｓ１２６からＳ１３６までが繰り返され、Ｓ１３６において千円札が３枚、紙幣出金部３０２に出金されたことを制御部５００が判定すると、処理動作はＳ１３８に移る。
【００３４】
Ｓ１３８において紙幣出金部３０２で紙幣の集積が完了したか否かを制御部５００は判定し、集積が完了している場合、処理動作はＳ１４０に移る。Ｓ１３８において、紙幣出金部３０２で紙幣の出金が完了している場合、制御部５００はＳ１４０において、搬送モータの駆動を停止する。次に制御部５００は、Ｓ１４２においてシャッタ３１４を開け、紙幣の受け取りが完了したことをＳ１４４において判定した後、Ｓ１４６においてシャッタ３１４を閉じる。
【００３５】
なお上述した処理動作の順番は上述した通りでなくてもよく、例えば出金される紙幣が正常であるか否かを紙幣認識部３０８が判定したと同時に、処理動作は次の紙幣の出金動作に移ってもよい。このように動作することによって、より迅速に紙幣の出金動作が行われる。
【００３６】
＜１−３．紙幣出金部の構成および紙幣出金部における紙幣の集積動作＞
ここまでは入出金装置１００の出金動作について説明した。本発明は紙幣出金部３０２における、紙幣の集積動作に関するものであるため、次に紙幣出金部３０２における紙幣の集積動作が説明される。図６は、本実施形態の紙幣出金部３０２を示す図である。本実施形態の紙幣出金部３０２は、舌片ローラ３２０と、紙幣が排出される排出口３２２と、一対の突出部３２４を有する。
【００３７】
ここで突出部３２４は、排出口３２２が形成される紙幣出金部３０２の壁面側に設置され、紙幣出金部３０２の底面と接するように設置される。また突出部３２４は、後述するように紙幣出金部３０２の紙幣の集積方向に対して斜面を有するように構成される。
【００３８】
図７は紙幣出金部３０２における、紙幣の集積動作を示す図である。図４および図５を用いて説明された出金動作によって、紙幣出金部３０２には紙幣が排出される。排出口３２２から排出された紙幣は、搬送ローラ３１８によって、図７のＡで示される状態まで、紙幣出金部３０２の出口方向に向かって搬送される。
【００３９】
図７のＡの位置まで搬送された紙幣は、搬送ローラ３１８から離れると、Ｂで示すように自由落下する。また制御部５００は舌片ローラ３２０を図の矢印で示される方向に回転させ、舌片ローラ３２０に備えられた舌片が紙幣の後端をたたくことにより、紙幣は紙幣出金部３０２の底面に落下し、紙幣は図のＣで示される状態となる。
【００４０】
図３および図７が示すように、入出金装置１００において紙幣出金部３０２は、紙幣出金部３０２の壁面側が出口側よりも低くなるように設置されている。このため紙幣出金部３０２の底面は壁面側が出口側よりも低くなるように傾斜がついており、紙幣出金部３０２の底面に落下した紙幣は、すべり落ちて突出部３２４にあたって、Ｄで示す位置で停止する。
【００４１】
図８および図９は、紙幣出金部３０２において４枚の紙幣が集積された状態を示す図である。図７で示した排出動作が他の３枚にも同様になされ、上述した排出動作と同様に他の３枚の紙幣も、斜面を有する突出部３２４にあたって停止する。このように突出部３２４が紙幣の集積方向に対して斜面を有することによって、紙幣の長辺が突出部３２４の斜面に沿って階段状に集積される状態で紙幣は集積される。
【００４２】
図１０は、本実施形態の紙幣出金部３０２の変形例を示す図である。本変形例は、排出される紙幣および排出口３２２の幅方向に大きく広がった一つの突出部３２４を備える紙幣出金部３０２を示している。突起部３２４は排出口３２２よりも紙幣および排出口３２２の幅方向に大きく広がっている。また舌片ローラ３２０の動きを邪魔しないように、突出部３２４の頂点が舌片ローラ３２０に接しない高さに設置されている。なお、図１０では、排出口３２２よりも幅方向に大きく広がった突出部３２４を示したが、当然ながら突出部３２４は排出口３２２よりも幅方向に小さくてもよい。
【００４３】
上述した突出部３２４の斜面には、凹凸形状が設けられていてもよく、また摩擦係数が紙幣出金部３０２の底面よりも大きくなるよう、摩擦係数が紙幣出金部３０２の底面よりも大きいゴム等が張り付けられてもよい。これによって紙幣が紙幣出金部３０２の底面をすべり落ちて突出部３２４にあたる際、つまり図７のＣからＤの位置に紙幣が移動するときに、紙幣が突出部３２４の斜面を登ってしまうことを防ぐことができる。
【００４４】
＜１−４．第１の実施形態のむすび＞
上述したように、本実施形態によれば紙幣出金部３０２の排出口３２２が設けられる壁面側に突出部３２４が設けられる。紙幣出金部３０２に排出される紙幣は、突出部３２４が有する斜面に沿って集積され、紙幣の長辺が階段状になる状態で紙幣が集積される。これによって、紙幣が揃って紙幣出金部３０２に集積されることにより、使用者が紙幣の枚数を確認するときにわざわざ紙幣をずらす必要がなくなり、使用者は紙幣を受け取る際に枚数確認を容易にすることができる。
【００４５】
＜＜２．第２の実施形態＞＞
図１１は、本発明の第２の実施形態に係る紙幣入出金部３２８を示す図である。本実施形態の紙幣入出金部３２８は、紙幣を投入することができる。このため、本実施形態の入出金装置１００は、第１の実施形態のように紙幣出金部３０２と紙幣入金部３０４とが別々に設けられなくてもよい。よって本実施形態の入出金装置１００は小さく構成され、また部品を少なくすることができるため、低コストで構成される。
【００４６】
＜２−１．第２の実施形態の紙幣出金部の構成＞
本実施形態の紙幣入出金部３２８は、分離ローラ３１６、搬送ローラ３１８、舌片ローラ３２０および排出口３２２を有する。さらに本実施形態の紙幣入出金部３２８は、紙幣を集積し、上下に昇降可能なステージ３２６を有する点で第１の実施形態の紙幣出金部３０２とは異なる。また、本実施形態の紙幣入出金部３２８は、使用者が紙幣を投入する時に、紙幣入出金部３２８の壁内に突出部３２４が収納される点で第１の実施形態の紙幣出金部３０２とは異なる。
【００４７】
ステージ３２６は、紙幣入出金部３２８の排出口３２２を有する壁面に一端が接するように設置され、他端が紙幣入出金部３２８の出口側に伸びるように設置されている。このようにステージ３２６が設置されることによって、紙幣入出金部３２８の排出口３２２を有する壁面側のステージ３２６の端部は、紙幣入出金部３２８の出口側の端部よりも低くなるように設置される。
【００４８】
またステージ３２６は、待機位置、集積位置、分離位置の３段階の位置に昇降可能であり、ステージ３２６の位置は待機位置が最も低い位置であり、分離位置は最も高い位置である。また集積位置は、待機位置と分離位置の間の位置である。待機位置は、紙幣が投入されるときの位置であり、使用者が紙幣を投入する際に紙幣を投入しやすいように一番下の位置に設定される。これによって、紙幣入出金部３２８の空間が大きく確保され、使用者は紙幣を投入しやすくなる。
【００４９】
集積位置は、紙幣を出金するときの位置であり、ある程度の枚数の紙幣がステージ３２６上に集積できるように設定された位置であり、待機位置に比べて若干上方に位置する。なお、後述するように、ステージ３２６が集積位置に位置するとき、突出部３２４とステージ３２６の上面が接するように位置することが望ましい。このようにすることによって、ステージ３２６と突出部３２４との間に紙幣が挟まってしまうことを防ぐことができる。
【００５０】
分離位置は、使用者が紙幣を投入した後のステージ３２６の位置である。なお分離位置には所定の初期分離位置があり、初期分離位置から徐々にステージ３２６が上がる構成となっている。これによって、ステージ３２６上に集積された紙幣が分離ローラ３１６に押圧され、分離ローラ３１６の回転によって紙幣は１枚ずつ分離して入出金装置１００内に取り込まれる。
【００５１】
図１２は、突出部３２４が出金動作時に突出する動作を示す図である。図１２において点線で示されるように、本実施形態の突出部３２４は、紙幣が投入される際に紙幣入出金部３２８の壁内の収納位置に収納されている。しかしながら紙幣の出金動作時に、突出部３２４は図の矢印で示されるように紙幣入出金部３２８内の突出位置に突出する構成となっている。このように突出部３２４が突出することによって、上述したように出金動作時に紙幣の長辺を階段状に揃えた状態で紙幣が集積される。さらに使用者が紙幣を投入する時には突出部３２４を収納位置に戻すことによって、紙幣が突出部３２４にあたり、使用者が紙幣を投入するときに邪魔になることを防ぐことができる。
【００５２】
なお、突出部３２４は紙幣入出金部３２８内に突出したときに紙幣入出金部３２８の出口に対して斜面を形成する形状となっている。また突出部３２４は図示しない駆動装置、例えばモータやソレノイドで可動させることができる。
【００５３】
＜２−２．第２の実施形態の入出金装置における出金動作＞
図１３および１４は、本実施形態における入出金装置１００の出金動作を示す図である。図１３および１４のＳ２００からＳ２０６、Ｓ２１２からＳ２４４およびＳ２４８からＳ２５２はそれぞれ図４および図５のＳ１００からＳ１０６、Ｓ１０８からＳ１４０およびＳ１４２からＳ１４６に対応する。
【００５４】
しかしながら本実施形態の出金動作は、Ｓ２０８、Ｓ２１０およびＳ２４６において第１の実施形態の出金動作とは異なる。本実施形態における出金動作は、Ｓ２０８において制御部５００はステージ３２６を待機位置から集積位置に移動させ、Ｓ２１０において制御部５００は突出部３２４を紙幣入出金部３２８に突出させる。このとき制御部５００はステージ３２６の上面と突出部３２４とが当接するようにステージ３２６を待機位置から集積位置に上昇させる。
【００５５】
上述した動作によって、Ｓ２４０において紙幣が紙幣入出金部３２８内のステージ３２６上に集積されるとき、紙幣の長辺が突出部３２４の斜面に沿って階段状に集積される。これにより使用者は紙幣を受け取る際に枚数確認を容易にすることができる。
【００５６】
また、Ｓ２４０においてステージ３２６上に紙幣が集積された後、Ｓ２４６において制御部５００は、ステージ３２６を集積位置から待機位置に下降させる。これによって紙幣入出金部３２８内の空間が大きく確保され、使用者が紙幣を取り出しやすくなる。またＳ２５４において使用者が紙幣の取り出しを完了すると、制御部５００は、突出部３２４を収納位置、つまり紙幣入出金部３２８の壁内に収納する。
【００５７】
なお上述した処理動作の順番は上述した通りでなくてもよく、例えば突出部３２４が突出した後に、ステージが集積位置に移動してもよい。また、突出部３２４が突出したのと同時にステージが集積位置に移動してもよい。
【００５８】
＜２−３．第２の実施形態のむすび＞
上述したように本実施形態の突出部３２４は、紙幣の投入時に紙幣入出金部３２８の壁内に収納され、出金時に紙幣入出金部３２８内に突出する構成となっている。このようにすることによって、紙幣の出金時に突出部３２４が突出し、紙幣の長辺を階段状に揃えて集積することが可能となる。また使用者が紙幣を投入する時には突出部３２４を収納位置に戻すことによって、紙幣が突出部３２４にあたり、使用者が紙幣を投入するときに邪魔になることを防ぐことができる。このように突出部３２４が可動であるので、出金時には使用者が紙幣の枚数を確認しやすく、入金時には使用者が紙幣を投入しやすい入出金装置１００が構成される。
【００５９】
また本実施形態の入出金装置１００は、第１の実施形態のように紙幣出金部と紙幣入金部が別々に設けられなくてもよい。このため、入出金装置１００を小さくでき、また部品を少なくすることができ、低コストで入出金装置１００が構成される。
【００６０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００６１】
本発明は、媒体集積装置に適用可能であり、特に入出金装置に適用可能である。
【符号の説明】
【００６２】
１００    入出金装置
２００    操作表示部
３００    紙幣部
３０２    紙幣出金部
３０４    紙幣入金部
３０６    紙幣搬送部
３０８    紙幣認識部
３１０    紙幣収納庫
３１２    紙幣リジェクト／回収庫
３１４    シャッタ
３１６    分離ローラ
３１８    搬送ローラ
３２０    舌片ローラ
３２２    排出口
３２４    突出部
３２６    ステージ
３２８    紙幣入出金部
４００    硬貨部
４０２    硬貨入金部
４０４    硬貨出金部
４０６    硬貨搬送部
４０８    硬貨認識部
４１０    硬貨収納庫
４１２    硬貨リジェクト部
５００    制御部
６００    記憶部
【図１】
2017100836.tif 000003
【図２】
2017100836.tif 000004
【図３】
2017100836.tif 000005
【図４】
2017100836.tif 000006
【図５】
2017100836.tif 000007
【図６】
2017100836.tif 000008
【図７】
2017100836.tif 000009
【図８】
2017100836.tif 000010
【図９】
2017100836.tif 000011
【図１０】
2017100836.tif 000012
【図１１】
2017100836.tif 000013
【図１２】
2017100836.tif 000014
【図１３】
2017100836.tif 000015
【図１４】
2017100836.tif 000016